(57)【特許請求の範囲】
【請求項１】
防災情報を送信する親局と、前記防災情報を受信して出力可能な複数の子局とを備えた防災行政無線システムであって、
前記親局は、
前記各子局のうちで選択的に呼び出す各子局を示す第１の選択呼出ＩＤと、新たに送信する前記防災情報と、この防災情報を識別する第１の情報ＩＤとを設定する設定手段と、
前記第１の選択呼出ＩＤ及び前記第１の情報ＩＤを、前記設定手段に設定された防災情報に付加するＩＤ付加手段と、
前記第１の選択呼出ＩＤ及び前記第１の情報ＩＤが付加された防災情報を送信する送信手段と
を備え、
前記各子局は、
自局を示す第２の選択呼出ＩＤと、前記自局の出力対象の防災情報を識別する第２の情報ＩＤとを予め記憶するＩＤ記憶手段と、
前記送信手段から送信された防災情報を受信する受信手段と、
前記受信手段に受信された防災情報に付加された第１の選択呼出ＩＤと、前記ＩＤ記憶手段内の第２の選択呼出ＩＤとが一致するか否かを判定する自局判定手段と、
前記受信手段に受信された防災情報に付加された第１の情報ＩＤと、前記ＩＤ記憶手段内の第２の情報ＩＤとが一致するか否かを判定する情報判定手段と、
前記自局判定手段及び前記情報判定手段による判定結果がいずれも一致を示すとき、前記受信手段に受信された防災情報を出力し、前記情報判定手段による判定結果が否を示すとき、前記受信手段に受信された防災情報を出力しないように制御する出力手段と
を備えた防災行政無線システム。
【請求項２】
防災情報を送信する親局と、前記防災情報を受信して出力可能な複数の子局とを備えた防災行政無線システムであって、
前記親局は、
前記各子局を示す第１の選択呼出ＩＤと、前記各子局の出力対象の防災情報を識別する第２の情報ＩＤとを関連付けて記憶するＩＤ記憶手段と、
新たに送信する前記防災情報と、この防災情報を識別する第１の情報ＩＤとを設定する設定手段と、
前記設定手段に設定された第１の情報ＩＤに基づいて前記ＩＤ記憶手段を検索し、当該第１の情報ＩＤに一致する第２の情報ＩＤに関連付けられた第１の選択呼出ＩＤを当該ＩＤ記憶手段から読み出すＩＤ読出手段と、
前記読み出された第１の選択呼出ＩＤを、前記設定手段に設定された防災情報に付加するＩＤ付加手段と、
前記第１の選択呼出ＩＤが付加された防災情報を送信する送信手段と
を備え、
前記各子局は、
自局を示す第２の選択呼出ＩＤを予め記憶する選択呼出ＩＤ記憶手段と、
前記送信手段から送信された防災情報を受信する受信手段と、
前記受信手段に受信された防災情報に付加された第１の選択呼出ＩＤと、前記選択呼出ＩＤ記憶手段内の第２の選択呼出ＩＤとが一致するか否かを判定する自局判定手段と、
この判定結果が一致を示すとき、前記受信手段に受信された防災情報を出力し、前記自局判定手段による判定結果が否を示すとき、前記受信手段に受信された防災情報を出力しないように制御する出力手段と
を備えた防災行政無線システム。
【請求項３】
請求項１又は請求項２に記載の防災行政無線システムにおいて、
前記第１の選択呼出ＩＤ及び前記第２の選択呼出ＩＤは、個別呼出しに用いる子局番号であることを特徴とする防災行政無線システム。
【請求項４】
請求項１又は請求項２に記載の防災行政無線システムにおいて、
前記第１の選択呼出ＩＤ及び前記第２の選択呼出ＩＤは、グループ呼出しに用いるグループ番号であることを特徴とする防災行政無線システム。
【請求項５】
防災情報を受信して出力可能な複数の子局に対し、前記防災情報を送信する親局であって、
前記各子局のうちで選択的に呼び出す各子局を示す第１の選択呼出ＩＤと、新たに送信する前記防災情報と、この防災情報を識別する第１の情報ＩＤとを設定する設定手段と、
前記第１の選択呼出ＩＤ及び前記第１の情報ＩＤを、前記設定手段に設定された防災情報に付加するＩＤ付加手段と、
前記第１の選択呼出ＩＤ及び前記第１の情報ＩＤが付加された防災情報を送信する送信手段と
を備えた親局。
【請求項６】
選択的に呼び出す各子局を示す第１の選択呼出ＩＤと、防災情報を識別する第１の情報ＩＤとが付加された前記防災情報が親局から送信されたとき、前記送信された防災情報を受信する受信手段と、
自局を示す第２の選択呼出ＩＤと、前記自局の出力対象の防災情報を識別する第２の情報ＩＤとを予め記憶するＩＤ記憶手段と、
前記受信手段に受信された防災情報に付加された第１の選択呼出ＩＤと、前記ＩＤ記憶手段内の第２の選択呼出ＩＤとが一致するか否かを判定する自局判定手段と、
前記受信手段に受信された防災情報に付加された第１の情報ＩＤと、前記ＩＤ記憶手段内の第２の情報ＩＤとが一致するか否かを判定する情報判定手段と、
前記自局判定手段及び前記情報判定手段による判定結果がいずれも一致を示すとき、前記受信手段に受信された防災情報を出力し、前記情報判定手段による判定結果が否を示すとき、前記受信手段に受信された防災情報を出力しないように制御する出力手段と
を備えた子局。
【請求項７】
防災情報を受信して出力可能な複数の子局に対し、前記防災情報を送信する親局であって、
前記各子局を示す第１の選択呼出ＩＤと、前記各子局の出力対象の防災情報を識別する第２の情報ＩＤとを関連付けて記憶するＩＤ記憶手段と、
新たに送信する前記防災情報と、この防災情報を識別する第１の情報ＩＤとを設定する設定手段と、
前記設定手段に設定された第１の情報ＩＤに基づいて前記ＩＤ記憶手段を検索し、当該第１の情報ＩＤに一致する第２の情報ＩＤに関連付けられた第１の選択呼出ＩＤを当該ＩＤ記憶手段から読み出すＩＤ読出手段と、
前記読み出された第１の選択呼出ＩＤを、前記設定手段に設定された防災情報に付加するＩＤ付加手段と、
前記第１の選択呼出ＩＤが付加された防災情報を送信する送信手段と
を備えた親局。
【発明の詳細な説明】
【技術分野】
【０００１】
本発明の実施形態は、防災行政無線システムに関する。
【背景技術】
【０００２】
市町村向けに納入している市町村防災行政無線システム（以下、防災行政無線システムという）は、災害対策本部となる市町村役場に設置された親局から中継局無線装置を介し、市町村内の各所に設置された子局に対して送信を行う。子局では、送信された情報を拡声器又は表示装置等に出力する。なお、親局は、操作卓及び親局無線装置などの送受信設備を含んでいる。子局としては、屋外に設置された屋外拡声子局や、屋内に設置された個別受信機などの受信設備が用いられている。
【０００３】
防災行政無線システムでは、親局から子局への送信時にグループ番号や個別番号を選択することで、子局のグループ呼出や個別呼出を行うことが可能である。また、親局から子局に送信を行う際、音声だけでなく各種メディア（文字、画像、ＦＡＸ）情報を送信することが可能である。
【先行技術文献】
【非特許文献】
【０００４】
【非特許文献１】ＡＲＩＢ ＳＴＤ−Ｔ８６  ３．０版（標準規格名：市町村デジタル同報通信システム、２００７年５月２９日改定、電波産業会）
【発明の概要】
【発明が解決しようとする課題】
【０００５】
しかしながら、以上のような防災行政無線システムは、通常は何の問題もないが、本発明者の検討によれば、以下のような不都合があると考えられる。
【０００６】
すなわち、親局側ではグループ、個別といったように送信先を選択できるが、子局から出力される情報を選択できないという不都合がある。このため、例えば、親局から全市一斉で津波警報情報を送信した場合に、海岸沿いの子局や山沿いの子局などの全ての子局が受信した津浪警報情報を放送（音声出力）してしまうことになる。
【０００７】
従って、防災行政無線においては、子局から出力される情報を自由に選択し得ることが望ましいと考えられる。
【０００８】
本発明が解決しようとする課題は、子局から出力される情報を自由に選択し得る防災行政無線システムを提供することである。
【課題を解決するための手段】
【０００９】
実施形態の防災行政無線システムは、防災情報を送信する親局と、前記防災情報を受信して出力可能な複数の子局とを備えている。
【００１０】
前記親局は、設定手段、ＩＤ付加手段及び送信手段を備えている。
【００１１】
前記設定手段は、前記各子局のうちで選択的に呼び出す各子局を示す第１の選択呼出ＩＤと、新たに送信する前記防災情報と、この防災情報を識別する第１の情報ＩＤとを設定する。
【００１２】
前記ＩＤ付加手段は、前記第１の選択呼出ＩＤ及び前記第１の情報ＩＤを、前記設定手段に設定された防災情報に付加する。
【００１３】
前記送信手段は、前記第１の選択呼出ＩＤ及び前記第１の情報ＩＤが付加された防災情報を送信する。
【００１４】
前記各子局は、ＩＤ記憶手段、受信手段、自局判定手段、情報判定手段及び出力手段を備えている。
【００１５】
前記ＩＤ記憶手段は、自局を示す第２の選択呼出ＩＤと、前記自局の出力対象の防災情報を識別する第２の情報ＩＤとを予め記憶する。
【００１６】
前記受信手段は、前記送信手段から送信された防災情報を受信する。
【００１７】
前記自局判定手段は、前記受信手段に受信された防災情報に付加された第１の選択呼出ＩＤと、前記ＩＤ記憶手段内の第２の選択呼出ＩＤとが一致するか否かを判定する。
【００１８】
前記情報判定手段は、前記受信手段に受信された防災情報に付加された第１の情報ＩＤと、前記ＩＤ記憶手段内の第２の情報ＩＤとが一致するか否かを判定する。
【００１９】
前記出力手段は、前記自局判定手段及び前記情報判定手段による判定結果がいずれも一致を示すとき、前記受信手段に受信された防災情報を出力し、前記情報判定手段による判定結果が否を示すとき、前記受信手段に受信された防災情報を出力しない。
【図面の簡単な説明】
【００２０】
【図１】第１の実施形態に係る防災行政無線システムの構成を示す模式図である。
【図２】同実施形態における子局及びその周辺構成を示す模式図である。
【図３】同実施形態における子局及びその周辺構成を示す模式図である。
【図４】同実施形態における動作を説明するためのフローチャートである。
【図５】第２の実施形態に係る防災行政無線システムの構成を示す模式図である。
【図６】同実施形態における子局及びその周辺構成を示す模式図である。
【図７】同実施形態における子局及びその周辺構成を示す模式図である。
【図８】同実施形態における動作を説明するためのフローチャートである。
【発明を実施するための形態】
【００２１】
以下、各実施形態について図面を用いて説明する。
【００２２】
＜第１の実施形態＞
図１は第１の実施形態に係る防災行政無線システムの構成を示す模式図である。この防災行政無線システムは、防災情報を送信する親局１０と、この防災情報を中継する中継局２０と、親局１０又は中継局２０から防災情報を受信して出力可能な複数の子局３０ａ，３０ｂとを備えている。なお、各子局３０ａ，３０ｂとしては、４台のみを図示しているが、実際には任意の多数台が配置されている。
【００２３】
ここで、親局１０は、操作卓１１及び親局無線装置１４を備えている。
【００２４】
操作卓１１は、設定部１２及びＩＤ付加部１３を備えている。
【００２５】
設定部１２は、操作者の操作に応じて防災情報等を設定するものであり、具体的には、各子局３０ａ，３０ｂのうちで選択的に呼び出す各子局３０ａ，３０ｂを示す第１の選択呼出ＩＤと、新たに送信する防災情報と、この防災情報を識別する第１の情報ＩＤとを設定する設定機能をもっている。第１の選択呼出ＩＤとしては、個別呼出しに用いる子局番号又はグループ呼出に用いるグループ番号のいずれも使用可能となっており、このことは以下の各実施形態でも同様である。
【００２６】
ＩＤ付加部１３は、設定部１２に設定された第１の選択呼出ＩＤ及び第１の情報ＩＤを、設定部１２に設定された防災情報に付加するＩＤ付加機能をもっている。ここで、第１の選択呼出ＩＤ及び第１の情報ＩＤが付加された防災情報は、ＩＤ付加部１３から親局無線装置１４に送出される。
【００２７】
親局無線装置１４は、ＩＤ付加部１３から送出された第１の選択呼出ＩＤ及び第１の情報ＩＤが付加された防災情報を送信する送信機能をもっている。
【００２８】
中継局２０は、親局１０から送信された防災情報を中継するものであり、複数の中継局無線装置から構成されている。なお、中継局２０は、任意の付加的事項であり、省略してもよい。中継局２０が省略可能なことは、以下の各実施形態でも同様である。
【００２９】
複数の子局３０ａは、屋外拡声子局とも呼ばれるものであり、親局１０又は中継局２０から受信した防災情報を拡声器４１に出力可能となっており、所望により、ＰＣ（パーソナルコンピュータ）４３を接続した場合には、防災情報をＰＣ４３にも出力可能となっている。なお、拡声器４１に出力された防災情報は、拡声器４１から音声出力される。ＰＣ４３に出力された防災情報は、ＰＣ４３によって例えば画像表示される。
【００３０】
また、複数の子局３０ｂは、戸別受信機とも呼ばれるものであり、親局１０又は中継局２０から受信した防災情報を、文字表示装置４２又はＦＡＸ（ファクシミリ）４４等の任意の出力先に出力可能となっている。なお、文字表示装置４２に出力された防災情報は、文字表示装置４２によって文字表示される。ＦＡＸ４４に出力された防災情報は、ＦＡＸ４４から印字出力される。
【００３１】
各子局３０ａ，３０ｂは、図２及び図３に示すように、防災情報の出力先を除いて、互いに同一の機能ブロック構成を有している。このため、以下の説明は、拡声器４１に接続された子局３０ａを代表例に挙げて行う。
【００３２】
子局３０ａは、ＩＤ記憶部３１、受信部３２、自局判定部３３、情報判定部３４及び出力部３５を備えている。
【００３３】
ＩＤ記憶部３１は、自局を示す第２の選択呼出ＩＤと、自局の出力対象の防災情報を識別する第２の情報ＩＤとを予め記憶するメモリである。第２の選択呼出ＩＤとしては、個別呼出しに用いる子局番号又はグループ呼出に用いるグループ番号のいずれも使用可能となっており、このことは以下の各実施形態でも同様である。また、ＩＤ記憶部３１としては、各ＩＤが書込まれていない状態のメモリを実装して子局のインタフェース（図示せず）に接続されたＰＣ等から各ＩＤを予め書込んでもよく、または予め各ＩＤを書き込んだ状態のメモリを実装してもよい。
【００３４】
受信部３２は、親局１０から送信された防災情報を受信するものであり、防災情報の受信は中継局２０を通しても通さなくてもよい。
【００３５】
自局判定部３３は、受信部３２に受信された防災情報に付加された第１の選択呼出ＩＤと、ＩＤ記憶部３１内の第２の選択呼出ＩＤとが一致するか否かを判定する自局判定機能をもっている。
【００３６】
情報判定部３４は、受信部３２に受信された防災情報に付加された第１の情報ＩＤと、ＩＤ記憶部３１内の第２の情報ＩＤとが一致するか否かを判定する情報判定機能をもっている。
【００３７】
出力部３５は、自局判定部３３及び情報判定部３４による判定結果がいずれも一致を示すとき、受信部３２に受信された防災情報を出力する機能をもっている。
【００３８】
なお、本実施形態及び以下の各実施形態における動作説明では、防災情報の出力先が拡声器４１の場合について述べるが、これに限らず、防災情報の出力先としては、文字表示装置４２、ＰＣ４３又はＦＡＸ４４等の任意の装置が適用可能となっている。
【００３９】
次に、以上のように構成された防災行政無線システムの動作を図４のフローチャートを参照して説明する。
【００４０】
子局３０ａでは、出力対象の防災情報を識別する第２の情報ＩＤを予めＩＤ記憶部３１にセット（記憶）しておく（Ｓ１０１）。
【００４１】
親局１０は、第１の選択呼出ＩＤと第１の情報ＩＤを防災情報に付加し、防災情報の送信を開始する（Ｓ１０２）。
【００４２】
子局３０ａでは、受信部３２が防災情報を受信すると、自局判定部３３が、当該受信された防災情報に付加された第１の選択呼出ＩＤが、ＩＤ記憶部３１内の第２の選択呼出ＩＤに一致するか否かを判定する（Ｓ１０３）。
【００４３】
もし、防災情報に付加された第１の選択呼出ＩＤが第２の選択呼出ＩＤに一致しない場合、子局３０ａは、防災情報の放送（音声出力）を行わない（Ｓ１０４）。
【００４４】
また、子局３０ａでは、情報判定部３４が、受信された防災情報に付加された第１の情報ＩＤが予めＩＤ記憶部３１にセットされた第２の情報ＩＤに一致するか否かを判定する（Ｓ１０５）。もし、第１の情報ＩＤが予めセットされた第２の情報ＩＤに一致しない場合、子局３０ａは、ステップＳ１０４に移行し、防災情報を放送しない。
【００４５】
子局３０ａでは、第１の選択呼出ＩＤが第２の選択呼出ＩＤに一致し、第１の情報ＩＤが予めセットされた第２の情報ＩＤに一致すれば、出力部３５が防災情報を拡声器４１に出力する。拡声器４１は、出力された防災情報を放送（音声出力）する（Ｓ１０６）。
【００４６】
上述したように本実施形態によれば、親局１０では、第１の選択呼出ＩＤ及び第１の情報ＩＤが付加された防災情報を送信し、子局３０ａでは、受信した防災情報に付加された第１の選択呼出ＩＤと、ＩＤ記憶部３１内の第２の選択呼出ＩＤとが一致するか否かを判定し、受信した防災情報に付加された第１の情報ＩＤと、ＩＤ記憶部３１内の第２の情報ＩＤとが一致するか否かを判定し、判定結果がいずれも一致を示すとき、受信した防災情報を出力する構成により、子局から出力される情報を自由に選択することができる。
【００４７】
補足すると、子局３０ａ，３０ｂ側では、予め出力したい防災情報を識別する第２の情報ＩＤを子局３０ａ，３０ｂに登録しておく。親局１０は、新たに送信する防災情報に第１の情報ＩＤを付加して送信を行う。子局３０ａ，３０ｂ側では第１の情報ＩＤを読み取り、出力したい防災情報を示す第２の情報ＩＤに一致すれば出力を行い、一致しなければ出力を行わない。従って、子局３０ａ，３０ｂ側では、親局１０から送信された情報のうち、出力する情報を自由に選択することができる。
【００４８】
＜第２の実施形態＞
図５は第２の実施形態に係る防災行政無線システムの構成を示す模式図であり、図６及び図７は子局及びその周辺構成を示す模式図であって、図１乃至図３と同一部分には同一符号を付してその詳しい説明を省略し、ここでは異なる部分について主に述べる。
【００４９】
本実施形態は、第１の実施形態の変形例であり、親局１０’側において、第１の情報ＩＤと、第２の情報ＩＤとが一致するか否かを判定する形態となっている。
【００５０】
これに伴い、親局１０’の操作卓１１’は、図１に示した操作卓１１とは異なり、ＩＤ記憶部１５、設定部１６及び選択呼出ＩＤ付加部１７を備えた構成となっている。
【００５１】
ＩＤ記憶部１５は、操作者の操作に応じて各ＩＤが予め書込まれるものであり、具体的には、各子局３０ｃ，３０ｄのうちで選択的に呼び出す各子局３０ｃ，３０ｄを示す第１の選択呼出ＩＤと、第１の選択呼出ＩＤにより呼び出される各子局３０ｃ，３０ｄの出力対象の防災情報を識別する第２の情報ＩＤとを関連付けて記憶するメモリである。
【００５２】
設定部１６は、操作者の操作に応じて防災情報等を設定するものであり、具体的には、新たに送信する防災情報と、この防災情報を識別する第１の情報ＩＤとを設定する設定機能をもっている。
【００５３】
選択呼出ＩＤ付加部１７は、設定部１６に設定された第１の情報ＩＤに基づいてＩＤ記憶部１５を検索し、当該第１の情報ＩＤに一致する第２の情報ＩＤに関連付けられた第１の選択呼出ＩＤを当該ＩＤ記憶部１５から読み出すＩＤ読出機能と、当該読み出された第１の選択呼出ＩＤを、設定部１６に設定された防災情報に付加するＩＤ付加機能と、をもっている。
【００５４】
親局無線装置１４は、前述同様に、選択呼出ＩＤ付加部１７により第１の選択呼出ＩＤが付加された防災情報を送信する送信機能をもっている。
【００５５】
各子局３０ｃ，３０ｄは、図６又は図７に示すように、図２又は図３に示したＩＤ記憶部３１、情報判定部３４及び出力部３５に代えて、選択呼出ＩＤ記憶部３６及び出力部３５’を備えた構成となっている。なお、受信部３２及び自局判定部３３は、それぞれ前述した機能をもっている。
【００５６】
選択呼出ＩＤ記憶部３６は、自局を示す第２の選択呼出ＩＤを予め記憶するメモリである。なお、選択呼出ＩＤ記憶部３６としては、第２の選択呼出ＩＤが書込まれていない状態のメモリを実装して子局のインタフェース（図示せず）に接続されたＰＣ等から選択呼出ＩＤを予め書込んでもよく、または予め選択呼出ＩＤを書き込んだ状態のメモリを実装してもよい。
【００５７】
出力部３５’は、自局判定部３３による判定結果が一致を示すとき、受信部３２に受信された防災情報を出力する出力機能をもっている。防災情報の出力先としては、前述した通り、拡声器４１、文字表示装置４２、ＰＣ４３又はＦＡＸ４４等の任意の装置が適用可能となっている。
【００５８】
次に、以上のように構成された防災行政無線システムの動作を図８のフローチャートを用いて説明する。なお、ここでは、防災情報の出力先が拡声器４１の場合の子局３０ｃを例に挙げて述べるが、防災情報の出力先を除き、子局３０ｄも同様に動作する。
【００５９】
親局１０’では、出力対象の防災情報を識別する第２の情報ＩＤを、各子局を示す第１の選択呼出ＩＤごとにＩＤ記憶部１５に書込んでおく（Ｓ２０１）。
【００６０】
親局１０’は、新たに送信する防災情報と第１の情報ＩＤとを設定部１６に設定することにより、第１の情報ＩＤ及びＩＤ記憶部１５に基づいて、この防災情報を出力対象とする子局３０ｃを識別する第１の選択呼出ＩＤを選択し、この第１の選択呼出ＩＤを付加した防災情報を送信する（Ｓ２０２）。
【００６１】
ステップＳ２０２において、具体的には設定部１６は、操作者の操作に応じて、新たに送信する防災情報と、この防災情報を識別する第１の情報ＩＤとを設定する。選択呼出ＩＤ付加部１７は、設定部１６に設定された第１の情報ＩＤに基づいてＩＤ記憶部１５を検索し、当該第１の情報ＩＤに一致する第２の情報ＩＤに関連付けられた第１の選択呼出ＩＤを当該ＩＤ記憶部１５から読み出すと共に、当該読み出された第１の選択呼出ＩＤを、設定部１６に設定された防災情報に付加する。しかる後、親局無線装置１４は、第１の選択呼出ＩＤが付加された防災情報を送信する。
【００６２】
続いて、子局３０ｃでは、受信部３２が防災情報を受信すると、自局判定部３３が、当該受信された防災情報に付加された第１の選択呼出ＩＤが、選択呼出ＩＤ記憶部３６内の第２の選択呼出ＩＤに一致するか否かを判定する（Ｓ２０３）。
【００６３】
もし、防災情報に付加された第１の選択呼出ＩＤが第２の選択呼出ＩＤに一致しない場合、子局３０ｃは、防災情報の放送（音声出力）を行わない（Ｓ２０４）。
【００６４】
一方、子局３０ｃでは、第１の選択呼出ＩＤが第２の選択呼出ＩＤに一致すれば、出力部３５’が防災情報を拡声器４１に出力する。拡声器４１は、出力された防災情報を放送（音声出力）する（Ｓ２０５）。
【００６５】
上述したように本実施形態によれば、親局１０では、選択的に呼び出す各子局３０ｃを示す第１の選択呼出ＩＤと、各子局３０ｃの出力対象の防災情報を識別する第２の情報ＩＤとを関連付けてＩＤ記憶部１５に記憶しておき、新たに送信する防災情報と、この防災情報を識別する第１の情報ＩＤとを設定し、当該設定された第１の情報ＩＤに一致する第２の情報ＩＤに関連付けられた第１の選択呼出ＩＤを当該ＩＤ記憶部１５から読み出し、当該読み出された第１の選択呼出ＩＤが付加された防災情報を送信し、子局３０ｃでは、受信した防災情報に付加された第１の選択呼出ＩＤと、選択呼出ＩＤ記憶部３６内の第２の選択呼出ＩＤとが一致するとき、受信した防災情報を出力する構成により、子局３０ｃから出力される情報を自由に選択することができる。
【００６６】
補足すると、あらかじめ親局１０’側に、子局の出力対象の防災情報を示す第２の情報ＩＤと子局を示す第１の選択呼出ＩＤを登録しておき、親局１０’は、第２の情報ＩＤが登録されている子局３０ｃのみに送信を行う。従って、親局１０’側では、子局３０ｃから出力される情報を自由に選択することができる。
【００６７】
また、本実施形態は、親局１０’のＩＤ記憶部１５内に第２の情報ＩＤを登録（予め記憶）することから、出力対象の防災情報を追加／変更する場合に親局１０’内の登録内容の追加／変更で済むため、第１の実施形態に比べ、出力対象の防災情報を容易に追加／変更することができる。
【００６８】
以上説明した少なくとも一つの実施形態によれば、親局又は子局に第２の情報ＩＤを予め記憶しておき、新たに送信する防災情報を識別する第１の情報ＩＤと、子局の出力対象の防災情報を識別する第２の情報ＩＤとが一致したとき、子局から防災情報を出力する構成により、子局から出力される情報を自由に選択することができる。
【００６９】
なお、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７０】
１０…親局、２０…中継局、３０ａ，３０ｂ，３３ｃ，３３ｄ…子局、１１，１１’…操作卓、１２，１６…設定部、１３…ＩＤ付加部、１４…親局無線装置、１５，３１…ＩＤ記憶部、１７…選択呼出ＩＤ付加部、３２…受信部、３３…自局判定部、３４…情報判定部、３５，３５’…出力部、３６…選択呼出ＩＤ記憶部、４１…拡声器、４２…文字表示装置、４３…ＰＣ、４４…ＦＡＸ。
【図１】
0005766563.tif 000002
【図２】
0005766563.tif 000003
【図３】
0005766563.tif 000004
【図４】
0005766563.tif 000005
【図５】
0005766563.tif 000006
【図６】
0005766563.tif 000007
【図７】
0005766563.tif 000008
【図８】
0005766563.tif 000009